(57)【要約】【課題】本発明は、長期的な視点で商品を安く購入するための商品情報をユーザに提供することを目的とする。【解決手段】本発明に係る商品情報表示制御装置は、予め定められた指定エリア内で予め定められた指定商品を販売する店舗の情報と、店舗における指定商品の販売価格の情報とを含む商品情報を取得する商品情報取得部１１と、商品情報をデータベース化した商品情報データベース１３を格納する商品情報管理部１２と、商品情報データベースから、過去の指定期間に指定エリア内の店舗で販売された指定商品の最安価格を抽出し、商品情報が示す販売価格と最安価格との比較に基づき、表示すべき商品情報である表示商品情報を決定する表示商品情報決定部１４と、表示商品情報を表示装置に表示させる表示制御部１５と、を備える。【選択図】図１
2019174898.tif 000002
【特許請求の範囲】
【請求項１】
予め定められた指定エリア内で予め定められた指定商品を販売する店舗の情報と、前記店舗における前記指定商品の販売価格の情報とを含む商品情報を取得する商品情報取得部と、
前記商品情報をデータベース化した商品情報データベースを格納する商品情報管理部と、
前記商品情報データベースから、過去の指定期間に前記指定エリア内の店舗で販売された前記指定商品の最安価格を抽出し、前記商品情報が示す販売価格と前記最安価格との比較に基づき、表示すべき前記商品情報である表示商品情報を決定する表示商品情報決定部と、
前記表示商品情報を表示装置に表示させる表示制御部と、を備える、
商品情報表示制御装置。
【請求項２】
前記表示商品情報決定部は、前記商品情報が示す販売価格が前記最安価格以下である前記商品情報を、前記表示商品情報と決定する、
請求項１に記載の商品情報表示制御装置。
【請求項３】
前記表示商品情報が示す店舗を目的地または経由地とする経路を探索する経路探索部をさらに備え、
前記表示制御部は、前記経路を前記表示装置に表示させる、
請求項１または２に記載の商品情報表示制御装置。
【請求項４】
前記表示商品情報決定部は、前記表示商品情報のリストを作成し、ユーザの操作に基づき前記表示商品情報のリストを変更し、
前記表示制御部は、前記表示商品情報のリストを前記表示装置に表示させる、
請求項１から３のいずれか１項に記載の商品情報表示制御装置。
【請求項５】
前記商品情報は前記指定商品の量の情報を含み、
前記表示商品情報決定部は、前記商品情報が示す販売価格の予め定められた単位量あたりの価格と、前記最安価格の前記単位量あたりの価格との比較に基づき、前記表示商品情報を決定する、
請求項１から４のいずれか１項に記載の商品情報表示制御装置。
【請求項６】
前記商品情報は販売時期の情報を含み、
前記表示商品情報決定部は、未来の販売時期を示す前記商品情報である未来商品情報と前記指定商品が同一である、現在の販売時期を示す前記商品情報であって、販売価格が前記未来商品情報より高い前記商品情報を、前記表示商品情報から除外する、
請求項１から５のいずれか１項に記載の商品情報表示制御装置。
【請求項７】
前記表示商品情報のリストをユーザ端末に送信する通信部をさらに備える、
請求項１から６のいずれか１項に記載の商品情報表示制御装置。
【請求項８】
前記指定商品の物価の変動方向および変動額を示す物価変動情報を取得する物価変動情報取得部をさらに備え、
前記表示商品情報決定部は、前記指定商品の前記最安価格を前記物価変動情報に基づき補正し、前記商品情報が示す販売価格と補正後の前記最安価格との比較に基づき、前記表示商品情報を決定する、
請求項１から７のいずれか１項に記載の商品情報表示制御装置。
【請求項９】
前記表示商品情報決定部は、前記物価変動情報が示す前記指定商品の物価の変動額が閾値以上である場合に、前記指定商品の前記最安価格を前記物価変動情報に基づき補正する、
請求項８に記載の商品情報表示制御装置。
【請求項１０】
前記指定商品の物価の変動方向および変動額を示す物価変動情報を取得する物価変動情報取得部をさらに備え、
前記表示商品情報決定部は、前記物価変動情報が示す前記指定商品の物価の変動額が閾値以上である場合に、前記商品情報データベースをリセットし、その後に前記商品情報取得部が取得した前記商品情報を用いて前記商品情報データベースを作成し直す、
請求項１から７のいずれか１項に記載の商品情報表示制御装置。
【請求項１１】
予め定められた指定エリア内で予め定められた指定商品を販売する店舗の情報と、前記店舗における前記指定商品の販売価格の情報とを含む商品情報を取得し、
前記商品情報をデータベース化した商品情報データベースから、過去の指定期間に前記指定エリア内の店舗で販売された前記指定商品の最安価格を抽出し、
前記商品情報が示す販売価格と前記最安価格との比較に基づき、表示すべき前記商品情報である表示商品情報を決定し、
前記表示商品情報を表示装置に表示させる、
商品情報表示制御方法。
【請求項１２】
コンピュータを、
予め定められた指定エリア内で予め定められた指定商品を販売する店舗の情報と、前記店舗における前記指定商品の販売価格の情報とを含む商品情報を取得する商品情報取得部と、
前記商品情報をデータベース化した商品情報データベースを格納する商品情報管理部と、
前記商品情報データベースから、過去の指定期間に前記指定エリア内の店舗で販売された前記指定商品の最安価格を抽出し、前記商品情報が示す販売価格と前記最安価格との比較に基づき、表示すべき前記商品情報である表示商品情報を決定する表示商品情報決定部と、
前記表示商品情報を表示装置に表示させる表示制御部として動作させるための、
商品情報表示制御プログラム。
【発明の詳細な説明】
【技術分野】
【０００１】
この発明は、商品情報の表示制御に関する。
【背景技術】
【０００２】
特許文献１には、ユーザに商品の価格を提示するシステムが開示されている。
【先行技術文献】
【特許文献】
【０００３】
【特許文献１】特開２０１２−１１７２２１号公報
【発明の概要】
【発明が解決しようとする課題】
【０００４】
しかし、特許文献１のシステムは、ユーザが購入しようと決めた日の中で商品を最も安く購入可能な店舗を提案するものである。そのため、別の日ならより安い価格で購入できる場合でも、当日に最も安い価格がユーザに提案されるため、長期的な視点でユーザに最適な購入提案が行われているとはいえなかった。
【０００５】
本発明は上述の問題に鑑み、長期的な視点で商品を安く購入するための商品情報をユーザに提供することを目的とする。
【課題を解決するための手段】
【０００６】
本発明に係る商品情報表示制御装置は、予め定められた指定エリア内で予め定められた指定商品を販売する店舗の情報と、店舗における指定商品の販売価格の情報とを含む商品情報を取得する商品情報取得部と、商品情報をデータベース化した商品情報データベースを格納する商品情報管理部と、商品情報データベースから、過去の指定期間に指定エリア内の店舗で販売された指定商品の最安価格を抽出し、商品情報が示す販売価格と最安価格との比較に基づき、表示すべき商品情報である表示商品情報を決定する表示商品情報決定部と、表示商品情報を表示装置に表示させる表示制御部と、を備える。
【発明の効果】
【０００７】
本発明の商品情報表示制御装置は、商品情報が示す販売価格と最安価格との比較に基づき表示商品情報を決定するため、長期的な視点で商品を安く購入するための商品情報をユーザに提供することができる。
【図面の簡単な説明】
【０００８】
【図１】実施の形態１に係る商品情報表示制御装置の機能ブロック図である。
【図２】実施の形態１に係る商品情報表示制御装置の動作を示すフローチャートである。
【図３】実施の形態２に係る商品情報表示制御装置の機能ブロック図である。
【図４】実施の形態２に係る商品情報表示制御装置の動作を示すフローチャートである。
【図５】指定商品リストを示す図である。
【図６】図４のステップＳ２０４における更新後の指定商品リストを示す図である。
【図７】図６の指定商品リストを基に作成された購入提案商品リストを示す図である。
【図８】購入提案商品リストに基づき探索された経路を示す図である。
【図９】購入提案商品リストの修正操作を説明する図である。
【図１０】修正された購入提案商品リストを示す図である。
【図１１】修正された購入提案商品リストに基づき探索された経路を示す図である。
【図１２】表示商品情報決定部による未来商品情報に関する判断処理を示すフローチャートである。
【図１３】実施の形態４に係る商品情報表示制御装置の機能ブロック図である。
【図１４】通信部による購入提案商品リストの送信処理を示すフローチャートである。
【図１５】ユーザからの入力操作に応じた購入提案商品リストの送信処理を示すフローチャートである。
【図１６】実施の形態５に係る商品情報表示制御装置の機能ブロック図である。
【図１７】物価変動情報に基づく指定商品リストの最安価格の補正処理を示すフローチャートである。
【図１８】物価変動に基づく商品情報データベースのリセット処理を示すフローチャートである。
【図１９】商品情報表示制御装置のハードウェア構成を示す図である。
【図２０】商品情報表示制御装置のハードウェア構成を示す図である。
【図２１】車載装置とサーバによる商品情報表示制御装置の構成例を示す図である。
【発明を実施するための形態】
【０００９】
＜Ａ．実施の形態１＞
図１は、実施の形態１に係る商品情報表示制御装置１０１の機能ブロック図である。図１に示すように、商品情報表示制御装置１０１は、商品情報取得部１１、商品情報管理部１２、表示商品情報決定部１４および表示制御部１５を備えている。
【００１０】
商品情報取得部１１は商品情報を取得する。商品情報とは、予め定められた指定エリア内で予め定められた指定商品を販売する店舗の情報と、その店舗における指定商品の販売価格の情報とを含む情報である。商品情報管理部１２は、商品情報取得部１１から商品情報を取得し、商品情報をデータベース化した商品情報データベース１３を作成し、管理する。表示商品情報決定部１４は、商品情報データベース１３から、過去の指定期間に指定エリア内の店舗で販売された指定商品の最安価格を抽出する。そして、表示商品情報決定部１４は、商品情報が示す販売価格と最安価格とを比較し、その比較に基づき商品情報を表示するか否かを判定する。なお、以下の説明では、表示商品情報決定部１４が表示すると判定した商品情報を「表示商品情報」と称する。表示制御部１５は、表示商品情報を表示装置３１に表示させる。
【００１１】
表示装置３１は、例えば液晶ディスプレイ、有機ＥＬディスプレイ、またはＨＵＤ（Head-Up Display）などの、映像を表示する装置である。
【００１２】
図２は、商品情報表示制御装置１０１の動作を示すフローチャートである。以下、図２に沿って商品情報表示制御装置１０１の動作を説明する。
【００１３】
まず、商品情報取得部１１が商品情報を取得する（ステップＳ１０１）。この商品情報は、予め定められた指定エリア内で予め定められた指定商品を販売する店舗の情報と、前記店舗における前記指定商品の販売価格の情報とを含んでいる。
【００１４】
次に、表示商品情報決定部１４が、商品情報データベース１３から、過去の指定期間に指定エリア内の店舗で販売された指定商品の最安価格を抽出する（ステップＳ１０２）。なお、商品情報データベース１３は、以前に商品情報取得部１１が取得した商品情報を商品情報管理部１２がデータベース化したものであり、既に作成されているものとする。
【００１５】
さらに、表示商品情報決定部１４は、ステップＳ１０３で抽出した最安価格をステップＳ１０１で取得された商品情報が示す販売価格と比較し、この比較に基づき、表示すべき商品情報である表示商品情報を決定する（ステップＳ１０３）。
【００１６】
次に、表示制御部１５は、表示商品情報を表示装置３１に表示させる（ステップＳ１０４）。
【００１７】
そして、商品情報管理部１２がステップＳ１０１で取得した商品情報で商品情報データベース１３を更新する（ステップＳ１０５）。
【００１８】
以上に説明したように、実施の形態１に係る商品情報表示制御装置１０１は、予め定められた指定エリア内で予め定められた指定商品を販売する店舗の情報と、店舗における指定商品の販売価格の情報とを含む商品情報を取得する商品情報取得部１１と、商品情報をデータベース化した商品情報データベース１３を作成する商品情報管理部１２と、商品情報データベース１３から、過去の指定期間に指定エリア内の店舗で販売された指定商品の最安価格を抽出し、商品情報が示す販売価格と最安価格との比較に基づき、表示すべき商品情報である表示商品情報を決定する表示商品情報決定部１４と、表示商品情報を表示装置３１に表示させる表示制御部１５と、を備える。このように、表示商品情報決定部１４は、商品情報が示す販売価格を、過去の指定期間に指定エリア内の店舗で販売された指定商品の最安価格と比較した上で、表示商品情報を決定する。従って、商品情報表示制御装置１０１は、長期的な視点で指定商品を安く購入するための商品情報をユーザに提供することができる。
【００１９】
また、実施の形態１に係る商品情報表示制御方法は、予め定められた指定エリア内で予め定められた指定商品を販売する店舗の情報と、店舗における指定商品の販売価格の情報とを含む商品情報を取得し、商品情報をデータベース化した商品情報データベース１３から、過去の指定期間に指定エリア内の店舗で販売された指定商品の最安価格を抽出し、商品情報が示す販売価格と最安価格との比較に基づき、表示すべき商品情報である表示商品情報を決定し、表示商品情報を表示装置３１に表示させる。従って、実施の形態１に係る商品情報表示制御方法によれば、長期的な視点で指定商品を安く購入するための商品情報をユーザに提供することができる。
【００２０】
また、実施の形態１に係る商品情報表示制御プログラムは、コンピュータを、予め定められた指定エリア内で予め定められた指定商品を販売する店舗の情報と、店舗における指定商品の販売価格の情報とを含む商品情報を取得する商品情報取得部１１と、商品情報をデータベース化した商品情報データベース１３を格納する商品情報管理部１２と、商品情報データベース１３から、過去の指定期間に指定エリア内の店舗で販売された指定商品の最安価格を抽出し、商品情報が示す販売価格と最安価格との比較に基づき、表示すべき商品情報である表示商品情報を決定する表示商品情報決定部１４と、表示商品情報を表示装置３１に表示させる表示制御部１５として動作させるための、商品情報表示制御プログラムである。従って、実施の形態１に係る商品情報表示制御プログラムによれば、長期的な視点で指定商品を安く購入するための商品情報をユーザに提供することができる。
【００２１】
＜Ｂ．実施の形態２＞
図３は、実施の形態２に係る商品情報表示制御装置１０２の機能ブロック図である。商品情報表示制御装置１０２は、例えば車両に搭載されたナビゲーション装置である。商品情報表示制御装置１０２は、実施の形態１に係る商品情報表示制御装置１０１の構成に加えて、操作受付部１６、経路探索部１７、位置取得部１８、および地図データ格納部１９を備える。また、商品情報表示制御装置１０２は、商品情報表示制御装置１０１の商品情報管理部１２に代えて商品情報管理部１２２を備える。商品情報表示制御装置１０２は、表示装置３１、入力装置３２、およびＧＰＳ（Global Positioning System）受信機３３と接続され、これらを利用可能に構成されている。
【００２２】
商品情報管理部１２２は、商品情報データベース１３に加えて、指定商品リスト１３Ａと購入提案商品リスト１３Ｂを有している。表示商品情報決定部１４は、商品情報取得部１１から商品情報を取得すると、これを商品情報データベース１３に登録すると共に、商品情報データベース１３に基づき指定商品リスト１３Ａと購入提案商品リスト１３Ｂを作成または更新する。
【００２３】
入力装置３２は、ユーザが商品情報表示制御装置１０２に対して入力操作を行うために用いる装置である。入力装置３２は、例えば商品情報表示制御装置１０２の筐体に設けられた機械的なボタン、またはタッチパネルである。なお、入力装置３２をタッチパネルで実現する場合、入力装置３２と表示装置３１はタッチスクリーンとして一体的に構成されても良い。操作受付部１６は、入力装置３２からユーザの入力操作を受け付ける。操作受付部１６が受け付けるユーザの入力操作は、例えば指定商品の設定操作、購入提案商品リスト１３Ｂの表示操作、購入提案商品リスト１３Ｂの修正操作などである。なお、各操作内容は後述する。
【００２４】
ＧＰＳ受信機３３は、車両に搭載され、ＧＰＳ信号を受信する。位置取得部１８は、ＧＰＳ受信機からＧＰＳ信号を取得し、ＧＰＳ信号に基づき車両の現在位置を把握する。ここではＧＰＳ信号を例に挙げているが、位置取得部１８はその他、ジャイロセンサまたは車速センサの信号を用いても良いし、これらの信号に基づき得られた位置情報を地図マッピングによって補正した上で車両の現在位置を算出しても良い。
【００２５】
経路探索部１７は、位置取得部１８から車両の位置情報を、地図データ格納部１９から地図データを、表示商品情報決定部１４から経由地または目的地の店舗の位置情報を取得し、これらに基づき、車両の現在地から所望の店舗を経由地または目的地とする経路を探索する。経路探索部１７が探索した経路は、表示制御部１５に送られ、必要に応じて表示装置３１で表示される。
【００２６】
図４は、商品情報表示制御装置１０２の動作を示すフローチャートである。以下、図４に沿って商品情報表示制御装置１０２の動作を説明する。
【００２７】
図４のフローは、例えば車両のアクセサリ電源がオンになったタイミング、または商品情報表示制御装置１０２に対して購入提案要求が入力されたタイミングで開始する。商品情報表示制御装置１０２に対する購入提案要求は、例えばユーザが入力装置３２である「購入ボタン」を押下することにより、操作受付部１６に取得される。
【００２８】
まず、位置取得部１８が車両の現在の位置情報を取得する（ステップＳ２０１）。
【００２９】
次に、商品情報取得部１１が、指定エリアの商品情報をウェブチラシまたは各店舗のウェブページ等から取得する（ステップＳ２０２）。ここで、商品情報を取得する地理的範囲である指定エリアは、例えばユーザにより予め設定されている。ユーザは、自宅または職場の周辺エリアなど、頻繁に滞在する地点の周辺を指定エリアと設定し、または自宅と職場の間の経路の周辺を指定エリアと設定することができる。これにより、ユーザは日常の行動範囲に近い店舗について購入提案を得ることができるし、購入提案を受けた店舗が行ったことのない店舗である場合には、購入店舗の選択肢を増やすこともできる。あるいは、ステップＳ２０１で位置取得部１８が取得した車両の現在地を基に、商品情報取得部１１が指定エリアを設定しても良い。例えば、商品情報取得部１１は車両の現在地を中心とする半径３ｋｍの範囲を指定エリアと設定しても良い。
【００３０】
商品情報には、指定エリア内で指定商品を販売している店舗の情報と、当該店舗における指定商品の販売価格の情報とが含まれる。指定商品とは、ユーザが商品情報の提供を希望する商品として指定した商品のことである。例えば洗剤やトイレットペーパーといった生活必需品は、今すぐ必要でない場合であっても、なるべく安い価格で購入することが望ましい。そのため、ユーザは上記のような生活必需品などを、指定商品として設定しておく。
【００３１】
図５は、指定商品リスト１３Ａを例示している。指定商品リスト１３Ａは、指定商品の特定項目としてカテゴリ、品名、メーカー、タイプという項目を有し、その他の項目として最安価格（税込）、更新日、店舗名という項目を有する。指定商品リスト１３Ａのうち、指定商品を特定するための情報をユーザが入力することにより、指定商品が設定される。指定商品リスト１３Ａは、商品情報表示制御装置１０２で定められたフォーマットに従い、ユーザがパーソナルコンピュータ（ＰＣ）などの外部機器で作成した後、ＰＣから商品情報表示制御装置１０２へインポートしても良い。あるいは、ユーザが入力装置３２を用いて直接商品情報表示制御装置１０２に入力することにより指定商品リスト１３Ａを作成することも可能である。
【００３２】
上記のとおり指定商品が設定されると、表示商品情報決定部１４は、商品情報データベース１３から指定商品の最安価格、最安価格での販売時期、最安価格で販売する店舗を抽出し、これらの情報を、指定商品リスト１３Ａの最安価格（税込）、更新日、店舗名の項目に記入する。
【００３３】
こうして作成された指定商品リスト１３Ａが商品情報管理部１２２に既に格納されていることを前提として、図４のステップＳ２０３で表示商品情報決定部１４は、新たに取得した商品情報の中に、指定商品リスト１３Ａの最安価格以下の販売価格を示す商品情報が有るか否かを判断する。例えば、新たに取得した商品情報が「品名：トイレットペーパー、タイプ：シングル１２ロール、販売価格：３２８円、店舗名：Ａ」であるとすると、図５の指定商品リスト１３Ａにおいて該当する指定商品の最安価格は３１８円であるため、ステップＳ２０３の判定はＮｏとなる。この場合、商品情報表示制御装置１０２は指定商品リスト１３Ａを更新せず、購入提案商品リスト１３Ｂを作成することなく処理を終了する。一方、新たに取得した商品情報が「品名：トイレットペーパー、タイプ：シングル１２ロール、販売価格：２９８円、店舗名：Ｃ」であるとすると、販売価格が最安価格以下でありステップＳ２０３の判定はＹｅｓとなる。この場合、表示商品情報決定部１４は指定商品リスト１３Ａを更新する（ステップＳ２０４）。
【００３４】
図６は、ステップＳ２０４における更新後の指定商品リスト１３Ａを示している。図６の例で、ユーザの使用日は２０１７／１２／２３である。図６の指定商品リスト１３Ａを図５の指定商品リスト１３Ａと比較すると、図６の指定商品リスト１３Ａではトイレットペーパーの最安価格が３１８円から２９８円に、更新日が２０１７／１１／２１から２０１７／１２／２３に、店舗名がＣからＡに、それぞれ更新されている。なお、図６の指定商品リスト１３Ａでは、シャンプーとファンデーションについても同様に最安価格等が更新されている。なお、ファンデーションについては新たに取得した商品情報における販売価格が最安価格と同じであったため、図６の指定商品リスト１３Ａは図５の指定商品リスト１３Ａに対して、最安価格は変わらず更新日のみが更新されている。
【００３５】
さらに、表示商品情報決定部１４は、指定商品リスト１３ＡからステップＳ２０４で更新された指定商品の情報のみを抜き出して、購入提案商品リスト１３Ｂを作成する（ステップＳ２０５）。図７は、図６の指定商品リスト１３Ａから抜き出されて作成された購入提案商品リスト１３Ｂを示している。図７の購入提案商品リスト１３Ｂに示されている商品情報が、ユーザに表示すべき表示商品情報である。このように、表示商品情報決定部１４は、商品情報が示す販売価格が最安価格以下である商品情報を表示商品情報と決定する。なお、購入提案商品リスト１３Ｂの右端の「地図」という欄にある矩形のマークは、表示装置３１に購入提案商品リスト１３Ｂが表示された場合、当該マークにタッチすると店舗の地図情報が表示されることを示している。
【００３６】
次に、経路探索部１７が、購入提案商品リスト１３Ｂに示されている店舗を経由地または目的地とする経路を探索する（ステップＳ２０６）。図７の購入提案商品リスト１３Ｂに示されている店舗はＡ，Ｃであるため、経路探索部１７は、図８に示すように、例えば車両の現在地Ｈから店舗Ａと店舗Ｃを辿って現在地へ戻る経路を探索する。なお、図８では、現在地へ戻る経路を示しているが、最終的な地点は、ユーザの設定に応じて自宅等の任意の場所に変更可能である。
【００３７】
次に、表示制御部１５が、経路探索部１７からステップＳ２０６で探索した経路を取得し、表示商品情報決定部１４から購入提案商品リスト１３Ｂを取得し、これらを表示装置３１に表示させる（ステップＳ２０７）。すなわち、本ステップでは、図７の購入提案商品リスト１３Ｂと図８の経路が表示装置３１に表示される。これにより、ユーザは、最安価格の指定商品と、指定商品を最安価格で購入できる店舗への経路を把握することができる。なお、ステップＳ２０６で条件を満たす経路が複数存在する場合には、ステップＳ２０７でそれら複数の経路が表示されても良いし、一つの経路のみが表示されても良い。また、複数の経路を表示するか一つの経路のみを表示するかをユーザが選択しても良い。
【００３８】
次に、操作受付部１６は、ユーザによる購入提案商品リスト１３Ｂの修正操作があるかを判定する（ステップＳ２０８）。ユーザは、入力装置３２を操作して、購入提案商品リスト１３Ｂを修正することが可能である。例えば、ユーザが店舗Ｃのみに行こうと考える場合、図９に示すようにシャンプーの購入欄のチェックボックスを外す操作を行う。この場合、表示商品情報決定部１４は、図１０に示すようにシャンプーの情報を購入提案商品リスト１３Ｂから消去する（ステップＳ２０９）。このように、ユーザは購入提案商品リスト１３Ｂからその日に購入する商品を選別することが出来る。そのため、例えばユーザが在庫を大量に抱えており、しばらく不要と考える商品を購入しないように購入提案商品リスト１３Ｂから除外することにより、不要な店舗への立ち寄りを抑制できる。
【００３９】
さらに、経路探索部１７は、修正後の購入提案商品リスト１３Ｂに基づき経路を再探索する（ステップＳ２０９）。図１０の購入提案商品リスト１３Ｂに示される店舗は店舗Ｃのみであるため、経路探索部１７は図１１に示すように、例えば車両の現在地Ｈから店舗Ｃを往復する経路を探索する。そして、表示制御部１５が、経路探索部１７からステップＳ２０９で探索した経路を取得し、表示商品情報決定部１４から修正後の購入提案商品リスト１３Ｂを取得し、これらを表示装置３１に表示させる（ステップＳ２１０）。なお、図１１では、現在地へ戻る経路を示しているが、最終的な地点は、ユーザの設定に応じて自宅等の任意の場所に変更可能である。
【００４０】
ステップＳ２０８においてユーザによる購入提案商品リスト１３Ｂの修正操作が無い場合、商品情報表示制御装置１０２は処理を終了する。
【００４１】
以上に説明したように、商品情報表示制御装置１０２によれば、過去に取得した商品情報を蓄積した商品情報データベース１３から指定商品リスト１３Ａが作成される。指定商品リスト１３Ａには、過去１年など一定の期間における指定商品の最安価格が記載されている。そして、新たに取得した商品情報の販売価格が指定商品リスト１３Ａの最安価格以下である場合には、購入提案商品リスト１３Ｂとして当該最安価格以下の指定商品の商品情報をユーザに表示する。そのため、ユーザは予め登録しておいた指定商品が、最安価格になったときに商品情報表示制御装置１０２から通知を受けることができ、適切なタイミングで指定商品を購入することが可能となる。
【００４２】
図４のフローでは、購入提案商品リスト１３Ｂに掲載された店舗を経由地または目的地とする経路を探索することを示した（ステップＳ２０６、Ｓ２０９）。購入提案商品リスト１３Ｂに掲載された店舗を経由地または目的地とする経路をユーザに表示することにより、ユーザは最安価格で指定商品を購入可能な店舗への経路を容易に把握することができる。しかし、商品情報表示制御装置１０２は経路探索を行わず、購入提案商品リスト１３Ｂを表示装置３１に表示するだけでも良い。この場合でも、ユーザは、購入提案商品リスト１３Ｂにより、最安価格となった指定商品と、最安価格で指定商品を販売している店舗の情報を把握することが可能である。
【００４３】
また、本実施の形態では、指定商品リスト１３Ａは、商品情報データベース１３の商品情報から作成され、その後は新たな商品情報が取得される度に必要に応じて更新されると説明した。しかし、指定商品リスト１３Ａに用いる商品情報データベース１３の商品情報を過去１年以内など、一定期間の情報に限定しても良い。すなわち、指定商品リスト１３Ａの最安価格が１年以上前の情報になると、表示商品情報決定部１４は当該最安価格を削除し、過去１年以内の商品情報から最安価格を抽出して指定商品リスト１３Ａを更新する。古すぎる商品情報を指定商品リスト１３Ａから排除することにより、物価変動の影響を抑制することが可能となる。
【００４４】
また、本実施の形態では、商品情報が示す販売価格が最安価格以下である場合に、当該商品情報を購入提案商品リスト１３Ｂに追加した。しかし、商品情報が購入提案商品リスト１３Ｂに追加される条件として、販売価格が最安価格以下であるかは一例である。例えば、商品情報が示す販売価格が最安価格の１１０％以下であることを、商品情報が購入提案商品リスト１３Ｂに追加される条件としても良い。いずれにせよ、商品情報が示す販売価格と最安価格との比較に基づき、商品情報が購入提案商品リスト１３Ｂに追加されれば良い。
【００４５】
また、本実施の形態では、商品情報が示す販売価格を指定商品リスト１３Ａにおける最安価格と比較し、商品情報が示す販売価格が最安価格以下であれば指定商品リスト１３Ａを更新することについて説明した。しかし、ここで比較する価格は、単位量あたりの価格であっても良い。但し、この場合、商品情報に、トイレットペーパーであれば「シングル１２ロール」、シャンプーであれば「３８０ｍｌ」というように、商品の量の情報が含まれていることが前提である。そして、予め指定商品ごとに単位量が定められており、表示商品情報決定部１４は、指定商品リスト１３Ａに単位量当たりの最安価格を登録する。
【００４６】
単位量は、例えば、トイレットペーパーであれば１ロールまたは１メートル、箱ティッシュであれば１箱または１枚、液体洗剤であれば１グラム、スティックシュガーであれば１本、砂糖でれば１グラム、などである。そして、表示商品情報決定部１４は、商品情報取得部１１が新たに取得した商品情報が示す販売価格を単位量あたりの販売価格に換算した上で、指定商品リスト１３Ａに登録された単位量当たりの最安価格と比較する。商品情報が示す販売価格と最安価格を単位量あたりの価格で比較した上で、指定商品リスト１３Ａの最安価格を更新することにより、量が異なる同一の指定商品について価格の高低を正確に比較することができる。
【００４７】
＜Ｃ．実施の形態３＞
実施の形態２では、商品情報取得部１１で新たに取得される商品情報が示す販売時期は、全て本日のものであることを前提とした。しかし、実施の形態３では、商品情報取得部１１が新たに取得する商品情報の中に、未来の販売時期を示す商品情報が含まれるものとする。なお、以下の説明では、未来の販売時期を示す商品情報を未来商品情報、現在の販売時期を示す商品情報を現在商品情報と称して両者を区別する。
【００４８】
商品情報取得部１１が現在商品情報と未来商品情報の両方を取得する場合、現在商品情報が示す販売価格が最安価格以下であっても、当該現在商品情報と同一の指定商品に関する未来商品情報が示す販売価格がさらに安い価格であることがあり得る。このような場合に、現在商品情報を購入提案商品リスト１３Ｂに含めてユーザに提案してしまうと、ユーザは未来により安い価格で指定商品を購入する機会を逃してしまいかねない。したがって、表示商品情報決定部１４は、同一の指定商品について最安価格以下の販売価格を示す現在商品情報と、当該現在商品情報よりさらに安い販売価格を示す未来商品情報とがある場合には、現在商品情報を購入提案商品リスト１３Ｂに追加しない、という判断を行う。
【００４９】
この判断処理は、図４に示した実施の形態２のフローのステップＳ２０２とステップＳ２０３との間に実行される。図１２は、表示商品情報決定部１４による未来商品情報に関する判断処理を示すフローチャートである。
【００５０】
図１２のフローにおいて、表示商品情報決定部１４は、まず商品情報取得部１１が新たに取得した商品情報の中に未来商品情報が含まれるか否かを判断する（ステップＳ３０１）。新たに取得した商品情報の中に未来商品情報がなければ、商品情報表示制御装置１０２の処理はステップＳ２０３に移行する。
【００５１】
新たに取得した商品情報の中に未来商品情報が含まれる場合、表示商品情報決定部１４は、未来商品情報が示す販売価格が、指定商品リスト１３Ａの最安価格以下か否かを判断する（ステップＳ３０２）。
【００５２】
未来商品情報が示す販売価格が、指定商品リスト１３Ａの最安価格より高い場合、表示商品情報決定部１４の処理はステップＳ３０５に移行する。この場合、表示商品情報決定部１４は未来商品情報のみをステップＳ２０３の判断対象から除外する（ステップＳ３０５）。
【００５３】
未来商品情報が示す販売価格が、指定商品リスト１３Ａの最安価格以下である場合、表示商品情報決定部１４は、未来商品情報と指定商品が同一で販売価格がそれよりも高い現在商品情報があるか否かを判断する（ステップＳ３０３）。未来商品情報と指定商品が同一かつ販売価格がそれよりも高い現在商品情報がなければ、表示商品情報決定部１４の処理はステップＳ３０５に移行する。この場合、表示商品情報決定部１４は未来商品情報のみをステップＳ２０３の判断対象から除外する（ステップＳ３０５）。
【００５４】
未来商品情報と指定商品が同一かつ販売価格がそれよりも高い現在商品情報があれば、表示商品情報決定部１４は、当該現在商品情報をステップＳ２０３の判断対象から除外する（ステップＳ３０４）。そして、表示商品情報決定部１４の処理はステップＳ３０５に移行する。
【００５５】
以上に説明したように、実施の形態３に係る商品情報表示制御装置において、商品情報は販売時期の情報を含み、表示商品情報決定部１４は、未来の販売時期を示す商品情報である未来商品情報と指定商品が同一である、現在の販売時期を示す商品情報であって、販売価格が未来商品情報より高い商品情報を、表示商品情報である購入提案商品リスト１３Ｂへの追加対象から除外する。これにより、未来により安い価格で購入できる指定商品の現在の最安価格をユーザに提示することが避けられる。なお、現在商品情報が示す販売価格が最安価格以下であり、当該販売価格よりも安い販売価格を未来商品情報が示している場合、表示制御部１５は、当該未来商品情報をポップアップまたはテロップなどの形式で、表示装置３１に表示しても良い。これにより、ユーザは指定商品を未来に安く購入できることを把握することができる。
【００５６】
＜Ｄ．実施の形態４＞
図１３は、実施の形態４に係る商品情報表示制御装置１０４の機能ブロック図である。商品情報表示制御装置１０４は、例えば車両に搭載されたナビゲーション装置である。商品情報表示制御装置１０４は、実施の形態２に係る商品情報表示制御装置１０２の構成に加えて、通信部２０を備える。商品情報表示制御装置１０４は、表示装置３１、入力装置３２、ＧＰＳ（Global Positioning System）受信機３３およびユーザ端末３４と接続され、これらを利用可能に構成されている。
【００５７】
通信部２０は、商品情報管理部１２２から購入提案商品リスト１３Ｂを取得し、ユーザ端末３４に送信する。通信部２０による購入提案商品リスト１３Ｂの送信処理は、図４に示した実施の形態２のフローのステップＳ２０７とステップＳ２０８との間に実行される。図１４は、通信部２０による購入提案商品リスト１３Ｂの送信処理を示すフローチャートである。
【００５８】
図１４のフローにおいて、通信部２０は、まず自身がユーザ端末３４とペアリング中であるかを判断する（ステップＳ５０１）。ここでは、通信部２０とユーザ端末３４がＢｌｕｅｔｏｏｔｈ（登録商標）などの無線通信を行うことを想定しているが、有線接続の場合、通信部２０はユーザ端末３４と接続しているか否かを判断する。
【００５９】
通信部２０がユーザ端末３４とペアリング中でなければ、商品情報表示制御装置１０４の処理はステップＳ２０８に移行する。一方、通信部２０はユーザ端末３４とペアリング中であれば、ユーザ端末３４へ購入提案商品リスト１３Ｂを送信する（ステップＳ５０２）。
【００６０】
図１４のフローによれば、通信部２０はユーザからの入力操作なしで購入提案商品リスト１３Ｂをユーザ端末３４に送信する。しかし、図１５に示すように、通信部２０はユーザからの入力操作に応じて購入提案商品リスト１３Ｂをユーザ端末３４に送信しても良い。
【００６１】
商品情報表示制御装置１０４は、経路と購入提案商品リスト１３Ｂを表示装置３１に表示させた後（図４のステップＳ２０７）、図１５のフローにおいて、ユーザからのリスト送信要求があるか否かを判断する（ステップＳ６０１）。商品情報表示制御装置１０４に対するリスト送信要求は、例えばユーザが入力装置３２である「リスト送信ボタン」を押下することにより、操作受付部１６に取得される。
【００６２】
ユーザからのリスト送信要求がある場合、通信部２０がユーザ端末３４とペアリング中であるかを判断する（ステップＳ６０２）。通信部２０がユーザ端末３４とペアリング中でなければ、表示制御部１５が表示装置３１に、ペアリング依頼通知画面を表示させる（ステップＳ６０３）。ペアリング依頼通知画面とは、ユーザに、商品情報表示制御装置１０４とユーザ端末３４とのペアリングを促す通知画面である。商品情報表示制御装置１０４は、ステップＳ６０２で通信部２０がユーザ端末３４とペアリング中であると判断するまで、ステップＳ６０３を繰り返す。
【００６３】
ステップＳ６０２で通信部２０がユーザ端末３４とペアリング中であると判断すると、通信部２０はユーザ端末３４へ購入提案商品リスト１３Ｂを送信する（ステップＳ６０４）。
【００６４】
このように、実施の形態４に係る商品情報表示制御装置１０４は、表示商品情報のリストである購入提案商品リスト１３Ｂをユーザ端末３４に送信する通信部２０を備える。従って、商品情報表示制御装置１０４によればユーザ端末３４に購入提案商品リスト１３Ｂを送信することが可能である。従って、ユーザはユーザ端末３４を用いて購入提案商品リスト１３Ｂを確認しながら買い物を行うことができる。
【００６５】
＜Ｅ．実施の形態５＞
図１６は、実施の形態５に係る商品情報表示制御装置１０５の機能ブロック図である。商品情報表示制御装置１０５は、例えば車両に搭載されたナビゲーション装置である。商品情報表示制御装置１０５は、実施の形態４に係る商品情報表示制御装置１０４の構成に加えて、物価変動情報取得部２１を備える。
【００６６】
物価変動情報取得部２１は、例えばインターネット上のニュース等から商品の物価変動情報を取得する。物価変動情報には、商品の物価変動額と物価変動方向が含まれる。
【００６７】
表示商品情報決定部１４は、物価変動情報取得部２１から物価変動情報を取得し、これに基づき指定商品リスト１３Ａの最安価格を補正する。
【００６８】
図１７は、物価変動情報に基づく指定商品リスト１３Ａの最安価格の補正処理を示すフローチャートである。まず、物価変動情報取得部２１が物価変動情報を取得する（ステップＳ７０１）。この物価変動情報には、物価変動商品、物価変動額及び物価変動方向が示されている。なお、ニュースでは、商品名を指定して物価変動が発表されることもあるが、商品の原材料を指定して物価変動が発表されることもある。後者の場合、物価変動情報取得部２１は、物価変動が発表された原材料に関係する商品を物価変動商品と設定しても良い。
【００６９】
表示商品情報決定部１４は、物価変動情報が示す物価変動商品を、指定商品リスト１３Ａに記載された指定商品と比較し、これらが一致するか否かを判断する（ステップＳ７０２）。ステップＳ７０２で物価変動商品が指定商品と一致しなければ、商品情報表示制御装置１０５の処理は終了する。
【００７０】
ステップＳ７０２で物価変動商品が指定商品と一致すれば、表示商品情報決定部１４は物価変動情報に示される物価変動額が閾値以上であるかを判断する（ステップＳ７０３）。この閾値は、例えば指定商品ごとに表示商品情報決定部１４において予め定められている。ステップＳ７０３で物価変動額が閾値未満であれば、商品情報表示制御装置１０５の処理は終了する。
【００７１】
ステップＳ７０３で物価変動額が閾値以上であれば、表示商品情報決定部１４は物価変動情報に基づき指定商品リスト１３Ａの最安価格を補正する（ステップＳ７０４）。例えば、物価変動方向が物価高騰である場合、表示商品情報決定部１４は指定商品リスト１３Ａの最安価格を物価変動額だけ増加させる。一方、物価変動方向が物価低落である場合、表示商品情報決定部１４は指定商品リスト１３Ａの最安価格を物価変動額だけ低下させる。
【００７２】
物価変動に応じて最安価格を補正しない場合、以下のような問題が生じる。物価が高騰したときには、商品情報が示す販売価格がなかなか最安価格以下とならず、商品情報をユーザに提供できない。また、物価が低落したときには、最安価格以下の販売価格を示す商品情報が頻発することにより、現在の物価でお買い得な商品情報をユーザに提供できない。しかし、商品情報表示制御装置１０５は物価変動情報に基づき指定商品リスト１３Ａの最安価格を補正するため、現時点の物価に鑑みてお買い得な商品情報をユーザに提供することができる。
【００７３】
図１７のフローでは、物価変動額が閾値以上となった場合にのみ最安価格の補正を行ったが、閾値を設定せず、物価変動額がわずかでも変動すれば最安価格を補正することにしても良い。
【００７４】
図１７のフローでは、表示商品情報決定部１４が物価変動情報に基づき自動的に最安価格を補正した。しかし、ユーザが手動で最安価格を補正しても良いし、図１７のフローに沿って最安価格が自動で補正された後、ユーザが微調整を加えることができるようにしても良い。この場合、自動で補正される前の最安価格をユーザが参照できるようにしておけば、ユーザは容易に自動補正前の価格に最安価格を戻すことが可能である。
【００７５】
図１７のフローでは、物価変動に対応して最安価格が補正されたが、最安価格の補正に代えて、商品情報データベース１３をリセットしても良い。図１８は、物価変動に基づく商品情報データベース１３のリセット処理を示すフローチャートである。図１８のフローでは、図１７のフローのステップＳ７０４に代えてステップＳ７０４Ｂが実行される。ステップＳ７０４Ｂでは、表示商品情報決定部１４が商品情報データベース１３に登録されている商品情報を全て消去、すなわちリセットし、それに応じて指定商品リスト１３Ａの最安価格、店舗名等も消去する。但し、ここでは、物価変動商品の商品情報のみが商品情報データベース１３から消去されても良い。
【００７６】
商品情報データベース１３のリセット後、表示商品情報決定部１４は商品情報取得部１１が新たに取得した商品情報を商品情報データベース１３に蓄積し、商品情報データベース１３に基づき指定商品リスト１３Ａの最安価格および店舗名等を更新する。このように、表示商品情報決定部１４は物価変動が生じたときには一旦商品情報データベース１３をリセットし、その後の商品情報に基づき指定商品リスト１３Ａを作成することにより、物価変動前の商品情報の影響を排除し、現在の物価でお買い得な商品情報をユーザに提供することができる。
【００７７】
なお、商品情報データベース１３には例えば過去１年分の商品情報が蓄積されている。表示商品情報決定部１４は、図１８のステップＳ７０４Ｂで商品情報データベース１３をリセットする際、過去１年分の全ての商品情報を消去せず、直近の商品情報を残しておいても良い。例えば、物価変動情報が示す物価変動が１か月前に既に始まっている場合には、表示商品情報決定部１４は１か月以上前の商品情報のみを商品情報データベース１３から削除しても良い。これにより、現在の物価に対応した商品情報が商品情報データベース１３に残される。
【００７８】
以上に説明したように、実施の形態５に係る商品情報表示制御装置１０５は、指定商品の物価の変動方向および変動額を示す物価変動情報を取得する物価変動情報取得部２１を備える。そして、表示商品情報決定部１４は、指定商品の最安価格を物価変動情報に基づき補正し、商品情報が示す販売価格と補正後の最安価格との比較に基づき、表示商品情報を決定する。従って、商品情報表示制御装置１０５によれば物価変動を考慮して現在の物価に照らしてお買い得な指定商品の購入提案を行うことができる。
【００７９】
また、商品情報表示制御装置１０５において、表示商品情報決定部１４は、物価変動情報が示す指定商品の物価の変動額が閾値以上である場合に、指定商品の最安価格を物価変動情報に基づき補正する。この場合、僅かな物価の変動により最安価格が補正されることを防ぐことができる。
【００８０】
あるいは、実施の形態５に係る商品情報表示制御装置１０５において、表示商品情報決定部１４は、物価変動情報が示す指定商品の物価の変動額が閾値以上である場合に、商品情報データベース１３をリセットし、その後に商品情報取得部１１が取得した商品情報を用いて商品情報データベース１３を作成し直す。従って、商品情報表示制御装置１０５によれば、物価変動前の商品情報の影響を排除し、現在の物価でお買い得な商品情報をユーザに提供することができる。
【００８１】
＜Ｆ．変形例＞
図１９は、商品情報表示制御装置１０１，１０２，１０４，１０５のハードウェア構成を示す図である。図１，３，１３，１６に示した商品情報表示制御装置１０１，１０２，１０４，１０５の各機能は、処理回路５１と入出力インタフェース５４により実現される。入出力インタフェース５４は、処理回路５１と、商品情報表示制御装置の外部の表示装置３１等とのインタフェースである。すなわち、処理回路５１は、商品情報取得部１１、商品情報管理部１２，１２２、表示商品情報決定部１４、表示制御部１５、操作受付部１６、経路探索部１７、位置取得部１８、地図データ格納部１９、通信部２０、および物価変動情報取得部２１を備える。処理回路５１には、専用のハードウェアが適用されても良いし、メモリに格納されるプログラムを実行するプロセッサが適用されても良い。プロセッサは、例えばＣＰＵ（Central Processing Unit）などの各種のＰＵ（Processing Unit）、演算装置、マイクロプロセッサ、マイクロコンピュータまたはＤＳＰ（Digital Signal Processor）等である。
【００８２】
処理回路５１が専用のハードウェアである場合、処理回路５１は、例えば、単一回路、複合回路、プログラム化したプロセッサ、並列プログラム化したプロセッサ、ＡＳＩＣ（Application Specific Integrated Circuit）、ＦＰＧＡ（Field-Programmable Gate Array）、またはこれらを組み合わせたものが該当する。商品情報取得部１１等の各部の機能それぞれは、複数の処理回路５１で実現されてもよいし、各部の機能がまとめて一つの処理回路で実現されてもよい。
【００８３】
処理回路５１がプロセッサである場合、商品情報取得部１１等の機能は、ソフトウェア等（ソフトウェア、ファームウェアまたはソフトウェアとファームウェア）との組み合わせにより実現される。ソフトウェア等はプログラムとして記述され、メモリに格納される。図２０に示すように、処理回路５１に適用されるプロセッサ５２は、メモリ５３に記憶されたプログラムを読み出して実行することにより、各部の機能を実現する。すなわち、商品情報表示制御装置１０１，１０２，１０４，１０５は、プロセッサ５２により実行されるときに、予め定められた指定エリア内で予め定められた指定商品を販売する店舗の情報と、店舗における指定商品の販売価格の情報とを含む商品情報を取得するステップと、商品情報をデータベース化した商品情報データベース１３を作成するステップと、商品情報データベース１３から、過去の指定期間に指定エリア内の店舗で販売された指定商品の最安価格を抽出するステップと、商品情報が示す販売価格と最安価格との比較に基づき、表示すべき商品情報である表示商品情報を決定するステップと、表示商品情報を表示装置３１に表示させるステップと、が結果的に実行されることになるプログラムを格納するためのメモリ５３を備える。換言すれば、このプログラムは、商品情報取得部１１等の手順や方法をコンピュータに実行させるものであるともいえる。ここで、メモリ５３は、例えば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）などの、不揮発性または揮発性の半導体メモリ、ＨＤＤ（Hard Disk Drive）、磁気ディスク、フレキシブルディスク、光ディスク、コンパクトディスク、ミニディスク、ＤＶＤ（Digital Versatile Disk）及びそのドライブ装置等、または、今後使用されるあらゆる記憶媒体であってもよい。
【００８４】
以上、商品情報取得部１１等の各機能が、ハードウェア及びソフトウェア等のいずれか一方で実現される構成について説明した。しかしこれに限ったものではなく、商品情報取得部１１等の一部を専用のハードウェアで実現し、別の一部をソフトウェア等で実現する構成であってもよい。例えば、商品情報取得部１１については専用のハードウェアとしての処理回路５１でその機能を実現し、それ以外についてはプロセッサ５２としての処理回路５１がメモリ５３に格納されたプログラムを読み出して実行することによってその機能を実現することが可能である。
【００８５】
以上のように、処理回路は、ハードウェア、ソフトウェア等、またはこれらの組み合わせによって、上述の各機能を実現することができる。なお、地図データ格納部１９および商品情報管理部１２，１２２は、メモリ５３から構成されるが、それらは単一のメモリ５３から構成されてもよいし、それぞれが個別のメモリから構成されてもよい。
【００８６】
また、上記では商品情報表示制御装置１０２，１０４，１０５を車載装置として説明したが、車載装置、ＰＮＤ（Portable Navigation Device）、通信端末（例えば携帯電話、スマートフォン、およびタブレットなどの携帯端末）、およびこれらにインストールされるアプリケーションの機能、並びにサーバなどを適宜に組み合わせてシステムとして構築されるナビゲーションシステムにも適用することができる。この場合、以上で説明した商品情報表示制御装置１０２，１０４，１０５の各機能または各構成要素は、ナビゲーションシステムを構築する各機器に分散して配置されてもよいし、いずれかの機器に集中して配置されてもよい。図２１は、車載装置とサーバによる商品情報表示制御装置１０２の構成例を示している。図２１では、車両に表示制御部１５、操作受付部１６および位置取得部１８が配置され、サーバに商品情報取得部１１、商品情報管理部１２２、表示商品情報決定部１４、経路探索部１７および地図データ格納部１９を備えている。
【００８７】
なお、本発明は、その発明の範囲内において、各実施の形態および各変形例を自由に組み合わせたり、各実施の形態および各変形例を適宜、変形または省略したりすることが可能である。
【００８８】
本発明は詳細に説明されたが、上記した説明は全ての態様において例示であり、本発明がそれに限定されるものではない。例示されていない無数の変形例が、本発明の範囲から外れることなく想定され得る。
【符号の説明】
【００８９】
１１  商品情報取得部、１２，１２２  商品情報管理部、１３  商品情報データベース、１３Ａ  指定商品リスト、１３Ｂ  購入提案商品リスト、１４  表示商品情報決定部、１５  表示制御部、１６  操作受付部、１７  経路探索部、１８  位置取得部、１９  地図データ格納部、２０  通信部、２１  物価変動情報取得部、３１  表示装置、３２  入力装置、３３  ＧＰＳ受信機、３４  ユーザ端末、５１  処理回路、５２  プロセッサ、５３  メモリ、５４  入出力インタフェース、１０１，１０２，１０４，１０５  商品情報表示制御装置。
【図１】
2019174898.tif 000003
【図２】
2019174898.tif 000004
【図３】
2019174898.tif 000005
【図４】
2019174898.tif 000006
【図５】
2019174898.tif 000007
【図６】
2019174898.tif 000008
【図７】
2019174898.tif 000009
【図８】
2019174898.tif 000010
【図９】
2019174898.tif 000011
【図１０】
2019174898.tif 000012
【図１１】
2019174898.tif 000013
【図１２】
2019174898.tif 000014
【図１３】
2019174898.tif 000015
【図１４】
2019174898.tif 000016
【図１５】
2019174898.tif 000017
【図１６】
2019174898.tif 000018
【図１７】
2019174898.tif 000019
【図１８】
2019174898.tif 000020
【図１９】
2019174898.tif 000021
【図２０】
2019174898.tif 000022
【図２１】
2019174898.tif 000023